(57)【要約】【課題】誘電体が発泡性のフッ素樹脂から成る同軸ケーブル用プラグと、ディスクリートワイヤ用プラグは、構成品を共有可能であるプラグを提供する。【解決手段】ハウジングは、相手側コンタクトと接続するコンタクトが他方の開口から圧入されるキャビティ１１ａ〜１１ｅを有する。カバーハウジング２は、コンタクトを囲うようにハウジング１と結合する。シェル３、一端部３１がハウジング１及びカバーハウジング２を包むように保持し、他端部３２がケーブルホルダ４を保持する。同軸ケーブル用プラグ１０は、コンタクトが同軸ケーブル５ｃの端末をハンダ接合により接続する第１及び第２コンタクト５・６で構成される。ディスクリートワイヤ用プラグ１００は、コンタクトがディスクリートワイヤ５ｄの端末をハンダ接合により接続する三つの第１コンタクト５で構成される。【選択図】        図１
2007042336.tif 000002
【特許請求の範囲】
【請求項１】
相手側コンタクトが一方の開口側から挿入され、この相手側コンタクトと接続するコンタクトが他方の開口から圧入される複数のキャビティを有するハウジングと、前記コンタクトを囲うように前記ハウジングと結合するカバーハウジングと、一端部は前記ハウジング及び前記カバーハウジングを包むように保持し、他端部はケーブルホルダを保持するシェルと、を備えるプラグであって、
前記コンタクトは、同軸ケーブルの端末をハンダ接合により接続する第１及び第２コンタクトで構成され、
前記第１コンタクトは、ディスクリートワイヤの端末をハンダ接合により接続可能なプラグ。
【請求項２】
前記第１コンタクトは、前記相手側コンタクトと接続し、前記キャビティに圧入される音叉形の第１コンタクト接続部と、この第１コンタクト接続部の基端部側に設けられ、前記同軸ケーブルの中心導体、又は前記ディスクリートワイヤの芯線をハンダ接合可能な第１接合部と、を備える請求項１記載のプラグ。
【請求項３】
前記第２コンタクトは、前記第１コンタクト接続部が一対に配置されて基端部が結合される第２コンタクト接続部と、この第２コンタクト接続部の基端部側に設けられ、前記同軸ケーブルの外部導体をハンダ接合可能な第２接合部と、を備える請求項１又は２記載のプラグ。
【請求項４】
前記ケーブルホルダは、略軸中心に前記同軸ケーブルを保持可能な第１穴と、この第１穴の周囲に当該第１穴と連通して前記ディスクリートワイヤを保持可能な複数の第２穴と、を設けている請求項１から３のいずれかに記載のプラグ。
【請求項５】
前記相手側コンタクトは、前記キャビティに挿入されるブレードコンタクトである請求項１から４のいずれかに記載のプラグ。
【請求項６】
前記同軸ケーブルは、中心導体を囲む誘電体が発泡性のフッ素樹脂からなる請求項１から５のいずれかに記載のプラグ。
【発明の詳細な説明】
【技術分野】
【０００１】
本発明は、電気接続用のプラグに関する。本発明のプラグは、同軸ケーブルの端末又はディスクリートワイヤの端末に取り付けられ、レセプタクルに接続される。
【背景技術】
【０００２】
例えば、パッケージされたＩＣやウェハ等の半導体部品を試験する半導体試験装置は、ＤＵＴ（Ｄｅｖｉｃｅ  Ｕｎｄｅｒ  Ｔｅｓｔ）が搭載されるＤＵＴボード、又はＤＵＴと接触するテストボードを有するテストヘッドを備えている。このテストヘッドの内部には、電線接続用プラグと接続される角形のレセプタクルが放射状に多数配置されている。
【０００３】
前記レセプタクルは、同軸ケーブルの端末に設けられる同軸ケーブル用プラグと、ディスクリートワイヤの端末に設けられるディスクリートワイヤ用プラグが接続されている。例えば、一つのレセプタクルに対して、同軸ケーブル用プラグが４０個、ディスクリートワイヤ用プラグが２０個接続されている。
【０００４】
同軸ケーブルが接続される同軸ケーブル用プラグとしては、同軸ケーブルの端末処理及びその取り付け、接続が容易で、かつコンタクト等が製作しやすく、コストを安くすることができ、しかもグランドコンタクトによるシグナルコンタクトのシールド効果を良好に確保する同軸ケーブル用プラグが発明されている（例えば、特許文献１参照）。
【０００５】
特許文献１による同軸ケーブル用プラグは、シグナルコンタクトと、グランドコンタクトと、第１及び第２インシュレータを備えて構成されている。
【０００６】
シグナルコンタクトは、導電性板材で形成され、シグナル接続用アームと中心導体接続部を備えている。シグナル接続用アームは、一方の端部に音叉形の接触接続部が設けられている。中心導体接続部は、シグナル接続用アームの他方の端部に結合しており、同軸ケーブルの中心導体が圧接により接続される。
【０００７】
グランドコンタクトは、導電性板材で形成され、グランド接続用アームと外部導体接続部を備えている。グランド接続用アームは、シグナルコンタクトの周囲を予め定められた範囲だけ囲うように配置されており、一方の端部に音叉形の接触接続部が設けられている。外部導体接続部は、グランド接続用アームの他方の端部に結合しており、同軸ケーブルの外部導体が圧接により接続される。
【０００８】
第１インシュレータは、シグナルコンタクト及びグランドコンタクトの各接触接続部が相手側コネクタとの嵌合端側となるように配置されて、圧入されている。第２インシュレータは、同軸ケーブルの一端側を、その中心導体及び外部導体それぞれを異なる部位に区分け配置して保持し、第１インシュレータと結合して同軸ケーブルの中心導体をシグナルコンタクトの中心導体接続部に接続し、同軸ケーブルの外部導体をグランドコンタクトの外部導体接続部に接続している。
【特許文献１】特開２００２−１３４２３６号公報
【発明の開示】
【発明が解決しようとする課題】
【０００９】
例えば、前述のテストヘッドに用いられる同軸ケーブルは、中心導体を囲む誘電体が発泡性のフッ素樹脂、いわゆるテフロン（登録商標）で形成されている。このような誘電体に空気層を多く含む発泡性のフッ素樹脂が用いられた同軸ケーブルは、高速の測定測定を伝送する半導体試験装置には特に有用である。
【００１０】
しかし、特許文献１による同軸ケーブル用プラグは、コンタクトが同軸ケーブルを圧接により接続しており、発泡性のフッ素樹脂から成る誘電体があまりに柔軟なため、同軸ケーブルの接続が不安定であるという問題がある。このような発泡性のフッ素樹脂から成る誘電体を有する同軸ケーブルを、同軸ケーブル用プラグに備わるコンタクトがハンダ接合により接続することが好ましい。
【００１１】
又、前述のテストヘッドに備わるレセプタクルは、同軸ケーブル用プラグとディスクリートワイヤ用プラグが共有可能な複数のスロットを有している。したがって、同軸ケーブル用プラグとディスクリートワイヤ用プラグの各構成品を共通化することにより、部品製作コストを低減し、又、組立作業を簡易化できるというメリットがある。そして、これらのことが本発明の課題といってよい。
【００１２】
本発明は、このような課題に鑑み、中心導体を囲む誘電体が発泡性のフッ素樹脂から成る同軸ケーブルをハンダ接合により接続する同軸ケーブル用プラグと、ディスクリートワイヤをハンダ接合により接続するディスクリートワイヤ用プラグは、構成品を共有可能であるプラグを提供することを目的とする。
【課題を解決するための手段】
【００１３】
発明者は、上記目的を満たすため、同軸ケーブルの中心導体をハンダ接合により取り付ける第１コンタクトは、ディスクリートワイヤの芯線をハンダ接合により取り付け可能な構造とし、以下のような新たなプラグを発明した。
【００１４】
（１）  相手側コンタクトが一方の開口側から挿入され、この相手側コンタクトと接続するコンタクトが他方の開口から圧入される複数のキャビティを有するハウジングと、前記コンタクトを囲うように前記ハウジングと結合するカバーハウジングと、一端部は前記ハウジング及び前記カバーハウジングを包むように保持し、他端部はケーブルホルダを保持するシェルと、を備えるプラグであって、前記コンタクトは、同軸ケーブルの端末をハンダ接合により接続する第１及び第２コンタクトで構成され、前記第１コンタクトは、ディスクリートワイヤの端末をハンダ接合により接続可能なプラグ。
【００１５】
（１）の発明によるプラグは、複数のキャビティを有するハウジングとカバーハウジング及びシェルを備えている。相手側コンタクトは、キャビティの一方の開口側から挿入される。相手側コンタクトと接続するコンタクトは、キャビティの他方の開口から圧入される。カバーハウジングは、コンタクトを囲うようにハウジングと結合する。シェルの一端部は、ハウジング及びカバーハウジングを包むように保持する。シェルの他端部はケーブルホルダを保持する。
【００１６】
ハウジングは絶縁性を有してよく、非導電性の材料からなるハウジングのことであってよく、例えば、エンジニアリングプラスチックを成型して、複数のキャビティを有する所望の形状の絶縁性ハウジングを得ることができる。例えば、ハウジングは略直方体状に形成され、他方の開口側に板状部が突出している。
【００１７】
例えば、後述するように、相手側コンタクトはブレードコンタクトであってよく、このブレードコンタクトが挿入される第１矩形穴がハウジングの一方側に開口される。例えば、後述するように、相手側コンタクトと接続するコンタクトは、このブレードコンタクトを挟持するように接続する音叉形の第１コンタクト接続部を有しており、この第１コンタクト接続部が挿入される第２矩形穴がハウジングの他方側に開口される。第２矩形穴は、一方の開口側から他方の開口側に貫通しており、このハウジングを一方の開口側から観るとき、第１及び第２矩形穴は十字を成すように交差している。
【００１８】
カバーハウジングは絶縁性を有してよく、非導電性の材料からなるカバーハウジングのことであってよく、例えば、エンジニアリングプラスチックを成型して、所望の形状の絶縁性カバーハウジングを得ることができる。ハウジングとカバーハウジングは同材質であることが好ましいが、同材質であることに限定されない。例えば、カバーハウジングは略直方体状に形成され、一方の面の凹部が設けられている。そして、前記ハウジングの板状部と前記カバーハウジングの凹部がコンタクトを囲うように、ハウジングにカバーハウジングが組み付けられて結合する。ハウジングとカバーハウジングがコンタクトを囲うように結合するとは、このコンタクトにハンダ接合される同軸ケーブル又はディスクリートワイヤが板状部と凹部で囲われた空間から延出することを否定しない。
【００１９】
シェルは、金属板で形成されることが好ましく、電磁シールド性を有する金属板で形成されることがより好ましく、例えば、金属板が折り曲げ成形されて、所望の形状の金属シェルを得ることができる。例えば、シェルの一端部は凹字状に形成されており、カバーハウジングが結合されたハウジングの他端側から、当該シェルの一端部が挿入されて、ハウジング及びカバーハウジングを包むように保持する。シェルの一端部は、このプラグの他端側の外殻を構成している。シェルの他端部はＵ字状に形成されており、このＵ字状片の先端が折り曲げ加工されてケーブルホルダを保持する。
【００２０】
そして、（１）の発明によるプラグは、コンタクトが同軸ケーブルの端末をハンダ接合により接続する第１及び第２コンタクトで構成される。第１コンタクトは、ディスクリートワイヤの端末をハンダ接合により接続可能としている。
【００２１】
第１及び第２コンタクトは同軸ケーブルの端末をハンダ接合により接続するとは、後述するように、第１コンタクトが同軸ケーブルの中心導体をハンダ接合可能な第１接合部を有していることであり、第２コンタクトが同軸ケーブルの外部導体をハンダ接合可能な第２接合部を有していることである。同軸ケーブル用プラグは、第１及び第２コンタクトがハウジングに圧入される。第１コンタクトはディスクリートワイヤの端末をハンダ接合により接続可能であるとは、後述するように、第１接合部はディスクリートワイヤの芯線をハンダ接合により接続可能であることを示している。例えば、ディスクリートワイヤ用プラグは、ディスクリートワイヤの端末をハンダ接合により接続する三つの第１コンタクトがハウジングに圧入される。
【００２２】
（１）の発明によるプラグは、同軸ケーブル用プラグとして使用する場合に、第１及び第２コンタクトが同軸ケーブルの端末をハンダ接合により接続しているので、中心導体を囲む誘電体が発泡性のフッ素樹脂から成る同軸ケーブルであっても、コンタクトに確実に接続できる。又、（１）の発明によるプラグは、ハウジング、カバーハウジング、シェル、ケーブルホルダ、第１コンタクトの各構成品を同軸ケーブル用プラグとディスクリートワイヤ用プラグで共用しているので、部品製作コストを低減し、又、組立作業を簡易化できるという効果がある。
【００２３】
（２）  前記第１コンタクトは、前記相手側コンタクトと接続し、前記キャビティに圧入される音叉形の第１コンタクト接続部と、この第１コンタクト接続部の基端部側に設けられ、前記同軸ケーブルの中心導体、又は前記ディスクリートワイヤの芯線をハンダ接合可能な第１接合部と、を備える（１）記載のプラグ。
【００２４】
第１コンタクトは、導電性を有する金属板からなり、音叉形の第１コンタクト接続部と第１接合部を備えている。音叉形の第１コンタクト接続部は、２本の腕によって向いあった方向に接触力を加える音叉形の弾性コンタクト片であってよく、例えば、２本の腕の間に相手側コンタクトであるブレードコンタクトが挿入されることにより、第１コンタクトと相手側コンタクトとの電気的接続が可能となる。第１コンタクト接続部の基端部の両翼に微細突起が形成され、第１コンタクト接続部をキャビティに挿入すると前記微細突起がキャビティの内壁に係止して圧入可能となる。なお、前記２本の腕はキャビティ内で開閉可能である。
【００２５】
例えば、第１接合部は、筒状のクローズドバレルとＵ字状に開いたオープンバレルを有し、同軸ケーブルの中心導体の端末が所定の寸法でフォーミングされた後に、予備ハンダ付けが施され、この中心導体の端末がクローズドバレルに挿入、及びオープンバレルに載置される。そして、同軸ケーブルの中心導体の端末がハンダ接合により、第１接合部に接続される。又、ディスクリートワイヤの芯線の端末が所定の寸法でフォーミングされた後に、予備ハンダ付けが施され、この芯線の端末がクローズドバレルに挿入、及びオープンバレルに載置される。そして、ディスクリートワイヤの芯線の端末がハンダ接合により、第１接合部に接続される。
【００２６】
このように、（２）の発明によるプラグは、第１コンタクトが同軸ケーブルの中心導体、又はディスクリートワイヤの芯線のいずれもハンダ接合により接続可能となっている。
【００２７】
（３）  前記第２コンタクトは、前記第１コンタクト接続部が一対に配置されて基端部が結合される第２コンタクト接続部と、この第２コンタクト接続部の基端部側に設けられ、前記同軸ケーブルの外部導体をハンダ接合可能な第２接合部と、を備える（１）又は（２）記載のプラグ。
【００２８】
第２コンタクトは、導電性を有する金属板からなり、第２コンタクト接続部と第２接合部を備えている。第２コンタクト接続部は、音叉形の第１コンタクト接続部が一対に配置されて基端部が結合されている。同軸ケーブルの外部導体がハンダ接合により、第２接合部に接続される。
【００２９】
例えば、第２接合部は、筒状のクローズドバレルとＵ字状に開いたオープンバレルを有し、同軸ケーブルの外部導体の端末が所定の寸法でフォーミングされた後に、予備ハンダ付けが施され、この外部導体の端末がクローズドバレルに挿入、及びオープンバレルに載置される。そして、第２接合部に同軸ケーブルの外部導体の端末がハンダ接合により接続される。
【００３０】
このように、同軸ケーブルをハンダ接合によりコンタクトを接続することにより、プラグ内で同軸ケーブルが確実に保持でき、この保持状態を安定して持続できる。又、同軸ケーブルの圧接接続では、信号経路が直角に曲がる個所が多く、同軸ケーブルで高周波信号を伝送する場合には、この個所がインダクタンスの大きな成分となり、特性インピーダンスが大きくなるため信号の反射が多くなる。一方、同軸ケーブルのハンダ接合による接続では、同軸ケーブルとコンタクトの接続部において、直線化が可能であり、特性インピーダンスが整合し易くでき、不整合部を極力短い距離にすることも可能であり、高周波信号での反射も少なくなるというメリットがある。
【００３１】
（４）  前記ケーブルホルダは、略軸中心に前記同軸ケーブルを保持可能な第１穴と、この第１穴の周囲に当該第１穴と連通して前記ディスクリートワイヤを保持可能な複数の第２穴と、を設けている（１）から（３）のいずれかに記載のプラグ。
【００３２】
ケーブルホルダは、合成樹脂材からなることが好ましく、例えば、ハウジング及びカバーハウジングと同材質のエンジニアリングプラスチックを成型して、所望の形状のケーブルホルダを得ることができる。例えば、ケーブルホルダの一端部側は、略四角柱状に形成され、ケーブルホルダの一端部側がシェルに挿入される。ケーブルホルダの他端部側は、略円柱状に形成され、ケーブルホルダの他端部側がシェルの他端部に保持される。
【００３３】
ケーブルホルダには、当該ケーブルホルダを一部分割するスリットが設けられ、このスリットはケーブルホルダの一の外面から一の第２穴、更に第１穴に至っている。シェルの他端部がケーブルホルダの他端部側を圧着して閉じると、第１穴が縮径して、第１穴に内接している同軸ケーブルを確実にプラグに保持できる。又、例えば、三つの第２穴は、第１穴の中心から放射状に３分割されて位置しており、三つの第２穴に内接するディスクリートワイヤは相互に当接している。したがって、シェルの他端部がケーブルホルダの他端部側を圧着して閉じると、第１穴が縮径して、三つの第２穴に内接しているディスクリートワイヤを確実にプラグに保持できる。
【００３４】
このように、（４）の発明によるプラグは、ケーブルホルダが同軸ケーブル又はディスクリートワイヤが保持可能な共用部品となっている。又、例えば、ケーブルホルダが合成樹脂材で形成されることにより、同軸ケーブル又は複数のディスクリートワイヤが弾性をもって保持される。
【００３５】
（５）  前記相手側コンタクトは、前記キャビティに挿入されるブレードコンタクトである（１）から（４）のいずれかに記載のプラグ。
【００３６】
（６）  前記同軸ケーブルは、中心導体を囲む誘電体が発泡性のフッ素樹脂からなる（１）から（５）のいずれかに記載のプラグ。
【発明の効果】
【００３７】
本発明によるプラグは、同軸ケーブル用プラグとして使用する場合に、第１及び第２コンタクトが同軸ケーブルの端末をハンダ接合により接続しているので、中心導体を囲む誘電体が発泡性のフッ素樹脂から成る同軸ケーブルであっても、コンタクトに確実に接続できる。又、本発明によるプラグは、ハウジング、カバーハウジング、シェル、ケーブルホルダ、第１コンタクトの各構成品を同軸ケーブル用プラグとディスクリートワイヤ用プラグで共用しているので、部品製作コストを低減し、又、組立作業を簡易化できるという効果がある。
【発明を実施するための最良の形態】
【００３８】
以下、図面を参照して本発明を実施するための最良の形態を説明する。
【００３９】
図１は、本発明によるプラグの一実施形態を示す斜視分解組立図である。図１は、本発明によるプラグを同軸ケーブル用プラグとして使用する場合の構成品を示している。図２は、前記実施形態のプラグに使用される同軸ケーブルの端末の平面図である。図３は、前記実施形態のプラグのハウジングに第１及び第２コンタクトが組み付けられた構成図である。図３（Ａ）は平面図、図３（Ｂ）は正面図である。
【００４０】
図４は、前記実施形態のプラグにカバーハウジングが組み付けられる正面図である。図５は、前記実施形態のプラグにケーブルホルダが組み付けられる正面図である。図６は、前記実施形態のプラグにシェルが組み付けられる正面図である。図７は、前記実施形態のプラグにシェルが組み付けられる正面図である。図７は図６の状態変化図である。図８は、前記実施形態のプラグにシェルの他端部が圧着される前の状態を示す正面図である。図９は、前記実施形態のプラグにシェルの他端部が圧着された状態を示す正面図である。図２から図９は、本発明によるプラグを同軸ケーブル用プラグとして使用する場合の一連の組立順番にしたがう状態変化図として示している。
【００４１】
図１０は、前記実施形態のプラグの右側面図である。図１０（Ａ）は、本発明によるプラグを同軸ケーブル用プラグとして使用した場合の右側面図であって、同軸ケーブルを断面で示している。図１０（Ｂ）は、本発明によるプラグをディスクリートワイヤ用プラグとして使用した場合の右側面図であって、３本のディスクリートワイヤを断面で示している。図１１は、前記実施形態のケーブルホルダの横断面図である。図１１（Ａ）は、同軸ケーブルを断面で示している。図１１（Ｂ）は、３本のディスクリートワイヤを断面で示している。
【００４２】
図１２は、本発明によるプラグをディスクリートワイヤ用プラグとして使用する場合の構成図である。図１２（Ａ）は正面図、図１２（Ｂ）は図１２（Ａ）の底面図、図１２（Ｃ）は図１２（Ａ）の平面図、図１２（Ｄ）は図１２（Ａ）の左側面図、図１２（Ｅ）は図１２（Ａ）の右側面図である。
【００４３】
最初に、本発明によるプラグの構成を説明する。図１において、本発明によるプラグ１０は、複数のキャビティ１１ａ〜１１ｅを有するハウジング１とカバーハウジング２及びシェル３を備えている。図示されない相手側コンタクトは、キャビティ１１ａ〜１１ｅの一方の開口側から挿入される。相手側コンタクトと接続するコンタクトは、キャビティ１１ａ〜１１ｅの他方の開口から圧入される。キャビティ１１ｄ・１１ｅは空き端子であってもよい。カバーハウジング２は、コンタクトを囲うようにハウジング１と結合する。シェル３の一端部は、ハウジング１及びカバーハウジング２を包むように保持する。シェル３の他端部はケーブルホルダ４を保持する。
【００４４】
図１は、本発明によるプラグを同軸ケーブル用プラグ１０として示したものであって、前記コンタクトが同軸ケーブル５ｃ（図２参照）の端末をハンダ接合により接続する第１及び第２コンタクト５・６で構成されている。一方、図１２は、本発明によるプラグをディスクリートワイヤ用プラグ１００として示したものであって、前記コンタクトがディスクリートワイヤ５ｄの端末をハンダ接合により接続する三つの第１コンタクト５で構成されている（図１参照）。
【００４５】
図１において、ハウジング１は絶縁性の合成樹脂で成型されており、ハウジング１は、複数のキャビティ１１ａ〜１１ｅを有する一方の部位が略直方体状に形成され、他方の部位は板状部１２が突出している。
【００４６】
図１において、例えば、相手側コンタクトはブレードコンタクトであって、このブレードコンタクトが挿入される第１矩形穴がハウジング１の一方側に開口されている。相手側コンタクトと接続する第１及び第２コンタクト５・６は、このブレードコンタクトを挟持するように接続する音叉形の第１コンタクト接続部５１を有しており、第１コンタクト接続部５１が挿入される第２矩形穴がハウジング１の他方側に開口されている。第２矩形穴は、他方の開口側から一方の開口側に貫通しており、ハウジング１を一方の開口側から観るとき、第１及び第２矩形穴は十字を成すように交差している（図１２（Ｄ）参照）。
【００４７】
図１において、カバーハウジング２は絶縁性の合成樹脂が成型されたものであって、カバーハウジング２は略直方体状に形成され、一方の面に凹部２１が設けられている。そして、ハウジング１の板状部１２とカバーハウジング２の凹部２１が第１及び第２コンタクト５・６を囲うように、ハウジング１にカバーハウジング２が組み付けられて結合する（図４及び図５参照）。同軸ケーブル用プラグ１０は、板状部１２と凹部２１で囲われた空間から同軸ケーブル５ｃが延出している（図５参照）。ディスクリートワイヤ用プラグ１００は、板状部１２と凹部２１で囲われた空間から３本のディスクリートワイヤ５ｄが延出している（図１２参照）。
【００４８】
図１及び図６において、シェル３は、電磁シールド性を有する金属板で形成されており、シェル３の一端部３１は、折り曲げ成形されて、凹字状に形成されている。カバーハウジング２が結合されたハウジング１の他端側から、シェル３の一端部３１が挿入されて、ハウジング１及びカバーハウジング２を包むように保持している（図８及び図１２参照）。シェル３の他端部３２はＵ字状に形成されており、このＵ字状片の先端が折り曲げ加工されてケーブルホルダ４を保持している。
【００４９】
図１１において、同軸ケーブル５ｃは、より線からなる中心導体ｃ１を有し、中心導体ｃ１を誘電体ｃ２が囲んでいる。例えば、誘電体ｃ２は発泡性のフッ素樹脂からなっていてもよい。更に、誘電体ｃ２を外部導体ｃ３が囲っている。外部導体ｃ３は、例えば編組線で形成されている。そして、外部導体ｃ３は絶縁被覆ｃ４で被覆されている。一方、ディスクリートワイヤ５ｄは、より線からなる芯線ｄ１を有し、芯線ｄ１を絶縁被覆ｄ２が被覆している。
【００５０】
図１において、第１コンタクト５は、導電性を有する金属板からなり、音叉形の第１コンタクト接続部５１と第１接合部５２を備えている。第１コンタクト接続部５１は、２本の腕５１ａ・５１ｂによって向いあった方向に接触力を加える音叉形の弾性コンタクト片である。例えば、２本の腕５１ａ・５１ｂの間に相手側コンタクトであるブレードコンタクトが挿入されることにより、第１コンタクト５と相手側コンタクトとの電気的接続が可能となる。第１コンタクト接続部５１の基端部の両翼に複数の微細突起５１ｃが形成されており、第１コンタクト接続部５１を中央のキャビティ１１ｃに挿入すると、複数の微細突起５１ｃがキャビティ１１ｃの内壁に係止して圧入可能となる。なお、２本の腕５１ａ・５１ｂはキャビティ１１ｃ内で開閉可能となっている。
【００５１】
図３において、第１接合部５２は、同軸ケーブル５ｃの中心導体ｃ１をハンダ接合により接続可能である。同軸ケーブル用プラグ１０としては、第１コンタクト５は、キャビティ１１ｃに圧入されている（図１参照）。又、第１接合部５２は、ディスクリートワイヤ５ｄの芯線ｄ１をハンダ接合により接続可能であり、ディスクリートワイヤ用プラグ１００としては、第１コンタクト５は、各キャビティ１１ａ〜１１ｃに圧入されている（図１２参照）。
【００５２】
図３において、第１接合部５２は、筒状のクローズドバレル５２ａとＵ字状に開いたオープンバレル５２ｂを有している。同軸ケーブル５ｃの中心導体ｃ１の端末が所定の寸法でフォーミングされた後に、予備ハンダ付けが施される（図２参照）。中心導体ｃ１の端末がクローズドバレル５２ａに挿入、及びオープンバレル５２ｂに載置される。そして、第１接合部５２に中心導体ｃ１の端末がハンダ接合により接続される。又、ディスクリートワイヤ５ｄの芯線ｄ１の端末が所定の寸法でフォーミングされた後に、予備ハンダ付けが施される（図示せず）。芯線ｄ１の端末がクローズドバレル５２ａに挿入、及びオープンバレル５２ｂに載置される。そして、第１接合部５２にディスクリートワイヤ５２ｄの芯線ｄ１の端末がハンダ接合により接続される。
【００５３】
図１において、第２コンタクト６は、導電性を有する金属板からなり、第２コンタクト接続部６１と第２接合部６２を備えている。第２コンタクト接続部６１は、音叉形の第１コンタクト接続部５１が一対に配置されて基端部が結合されている。第２接合部６２は同軸ケーブル５ｃの外部導体ｃ３をハンダ接合により接続できる（図３参照）。第２コンタクト接続部６１は、下段のキャビティ１１ａ・１１ｂに挿入される。
【００５４】
図３において、第２接合部６２は、筒状のクローズドバレル６２ａとＵ字状に開いたオープンバレル６２ｂを有している。同軸ケーブル５ｃの外部導体ｃ３の端末が所定の寸法でフォーミングされた後に、予備ハンダ付けが施される（図２参照）。外部導体ｃ３の端末がクローズドバレル６２ａに挿入、及びオープンバレル６２ｂに載置される。そして、第２接合部６２に外部導体ｃ３の端末がハンダ接合により接続される。
【００５５】
図１において、ケーブルホルダ４は、合成樹脂材で成型されている。ケーブルホルダ４の一端部側は、略四角柱状に形成される角柱部４１となっており、角柱部４１がシェル３に挿入される。ケーブルホルダ４の他端部側は、略円柱状に形成される円柱部４２となっており、円柱部４２がシェル３の他端部３２に保持される。
【００５６】
図１０において、ケーブルホルダ４は、略軸中心に同軸ケーブル５ｃを保持可能な第１穴４３ｈが設けられている。又、ケーブルホルダ４は、第１穴４３ｈの周囲に第１穴４３ｈと連通してディスクリートワイヤ５ｄを保持可能な三つの第２穴４４ｈが設けられている。
【００５７】
図１０において、ケーブルホルダ４には、ケーブルホルダ４を一部分割するスリット４ｓが設けられている（図１参照）。スリット４ｓは、ケーブルホルダ４の一の外面から一の第２穴４４ｈ、更に第１穴４３ｈに至っている。シェル３の他端部３２が円柱部４２を圧着して閉じると（図８参照）、第１穴４３ｈが縮径して、第１穴４３ｈに内接している同軸ケーブル５ｃを確実にプラグ１０に保持できる。
【００５８】
又、三つの第２穴４４ｈは、第１穴４３ｈの中心から放射状に３分割されて位置しており、三つの第２穴４４ｈに内接するディスクリートワイヤ５ｄは相互に当接している。したがって、シェル３の他端部３２が円柱部４２を圧着して閉じると、第１穴４３ｈが縮径して、三つの第２穴４４ｈに内接しているディスクリートワイヤ５ｄを確実にプラグ１００に保持できる（図１２参照）。
【００５９】
次に、図１に示された同軸ケーブル用プラグ１０の組立方法を説明する。
【００６０】
最初に同軸ケーブル５ｃの端末が加工処理される。図２において、誘電体ｃ２は、中心導体ｃ１の先端からＬ１の長さで裁断される。外部導体ｃ３は、誘電体ｃ２の先端からＬ２の長さで裁断される。絶縁被覆ｃ４は、中心導体ｃ１の先端からＬ３の長さで裁断される。前記の加工処理において、編組線である外部導体ｃ３が開かないように、ジャケットストリップが好適に用いられる。そして、中心導体ｃ１と外部導体ｃ３に予備ハンダが施される。
【００６１】
次に、中心導体ｃ１の端末がクローズドバレル５２ａに挿入、及びオープンバレル５２ｂに載置される。そして、第１接合部５２に中心導体ｃ１の端末がハンダ接合により接続される。又、外部導体ｃ３の端末がクローズドバレル６２ａに挿入、及びオープンバレル６２ｂに載置される。そして、第２接合部６２に外部導体ｃ３の端末がハンダ接合により接続される。
【００６２】
次に、ハウジング１にカバーハウジング２が組み付けられる（図４参照）。そして、ハウジング１とカバーハウジング２が結合するサブアッセンブリにケーブルホルダ４が組み付けられる（図５参照）。次に、シェル３内に同軸ケーブルが挿通される（図６参照）。次に、シェル３をハウジング１へ移動すると（図７参照）、シェル３はハウジング１に係止状態となる（図８参照）。図８において、シェル３の他端部３２を圧着工具で圧着すると、ケーブルホルダ４を保持できる（図９参照）。
【００６３】
本発明によるプラグは、同軸ケーブル用プラグとして使用する場合に、第１及び第２コンタクトが同軸ケーブルの端末をハンダ接合により接続しているので、中心導体を囲む誘電体が発泡性のフッ素樹脂から成る同軸ケーブルであっても、コンタクトに確実に接続できる。又、本発明によるプラグは、ハウジング、カバーハウジング、シェル、ケーブルホルダ、第１コンタクトの各構成品を同軸ケーブル用プラグとディスクリートワイヤ用プラグで共用しているので、部品製作コストを低減し、又、組立作業を簡易化できるという効果がある。
【００６４】
更に、本発明によるプラグは、同軸ケーブルをハンダ接合によりコンタクトを接続することにより、プラグ内で同軸ケーブルが確実に保持でき、この保持状態を安定して持続できる。又、同軸ケーブルの圧接接続では、信号経路が直角に曲がる個所が多く、同軸ケーブルで高周波信号を伝送する場合には、この個所がインダクタンスの大きな成分となり、特性インピーダンスが大きくなるため信号の反射が多くなる。一方、同軸ケーブルのハンダ接合による接続では、同軸ケーブルとコンタクトの接続部において、直線化が可能であり、特性インピーダンスが整合し易くでき、不整合部を極力短い距離にすることも可能であり、高周波信号での反射も少なくなるというメリットがある。
【図面の簡単な説明】
【００６５】
【図１】本発明によるプラグの一実施形態を示す斜視分解組立図である。
【図２】前記実施形態のプラグに使用される同軸ケーブルの端末の平面図である。
【図３】前記実施形態のプラグのハウジングに第１及び第２コンタクトが組み付けられた構成図である。
【図４】前記実施形態のプラグにカバーハウジングが組み付けられる正面図である。
【図５】前記実施形態のプラグにケーブルホルダが組み付けられる正面図である。
【図６】前記実施形態のプラグにシェルが組み付けられる正面図である。
【図７】前記実施形態のプラグにシェルが組み付けられる正面図である。
【図８】前記実施形態のプラグにシェルの他端部が圧着される前の状態を示す正面図である
【図９】前記実施形態のプラグにシェルの他端部が圧着された状態を示す正面図である。
【図１０】前記実施形態のプラグの右側面図である。
【図１１】前記実施形態のケーブルホルダの横断面図である。
【図１２】本発明によるプラグをディスクリートワイヤ用プラグとして使用する場合の構成図である。
【符号の説明】
【００６６】
１    ハウジング
２    カバーハウジング
３    シェル
４    ケーブルホルダ
５・６    第１及び第２コンタクト
５ｃ    同軸ケーブル
５ｄ    ディスクリートワイヤ
１０    同軸ケーブル用プラグ
１１ａ〜１１ｅ    キャビティ
１００    ディスクリートワイヤ用プラグ
【図１】
2007042336.tif 000003
【図２】
2007042336.tif 000004
【図３】
2007042336.tif 000005
【図４】
2007042336.tif 000006
【図５】
2007042336.tif 000007
【図６】
2007042336.tif 000008
【図７】
2007042336.tif 000009
【図８】
2007042336.tif 000010
【図９】
2007042336.tif 000011
【図１０】
2007042336.tif 000012
【図１１】
2007042336.tif 000013
【図１２】
2007042336.tif 000014